(57)【要約】【課題】  買物客が使用し易く、かつ、載置される買物カゴの重量に対する耐久性にも優れるショッピングカートを提供することを目的とする。【解決手段】  下端30，30に後輪34，34が付設された左右一対の柱パイプ材３，３を備える。かつ、１本のパイプ材26が略コの字状に折曲げられ両端部25，25が後側になるようにして柱パイプ材３，３の下方部31，31に固着されると共に前部23に前輪24，24が付設された下枠パイプ材２と、前後中間位置で柱パイプ材３，３の上端32，32に固着され後部14に握り部４が設けられかつ載置される買物カゴの前壁と左右側壁に対応する略水平状乃至前方下傾状の上枠パイプ材１と、を備える。さらに、握り部４の下方近傍位置に、宣伝・広告用の表示プレート板５が配設されている。また、柱パイプ材３，３の下方部31，31に固着される第２横架杆21に、傘先が差込まれる傘先保持リング部６が付設されている。【選択図】  図１
0003123732.tif 000002
【実用新案登録請求の範囲】
【請求項１】
載置される買物カゴの前壁と左右側壁に対応する略水平状乃至前方下傾状の上枠パイプ材（１）を備え、
かつ、該上枠パイプ材（１）の後部（14）に握り部（４）が設けられたことを特徴とするショッピングカート。
【請求項２】
下端（30)(30）に後輪（34)(34）が付設された左右一対の柱パイプ材（３)(３）と、１本のパイプ材（26）が略コの字状に折曲げられて成り両端部（25)(25）が後側になるようにして上記柱パイプ材（３)(３）の下方部（31)(31）に固着されて略水平状乃至前方下傾状に保持されると共に前部（23）に前輪（24)(24）が付設された下枠パイプ材（２）と、前後中間位置で上記柱パイプ材（３)(３）の上端（32)(32）に固着され後部（14）に握り部（４）が設けられかつ載置される買物カゴの前壁と左右側壁に対応する略水平状乃至前方下傾状の上枠パイプ材（１）と、を備えたことを特徴とするショッピングカート。
【請求項３】
下端（30)(30）に後輪（34)(34）が付設された左右一対の柱パイプ材（３)(３）と、１本のパイプ材（26）が略コの字状に折曲げられて成り両端部（25)(25）が後側になるようにして上記柱パイプ材（３)(３）の下方部（31)(31）に固着されて略水平状乃至前方下傾状に保持されると共に前部（23）に前輪（24)(24）が付設された下枠パイプ材（２）と、前後中間位置で上記柱パイプ材（３)(３）の上端（32)(32）に固着され後部（14）に握り部（４）が設けられかつ載置される買物カゴの前壁と左右側壁に対応する略水平状乃至前方下傾状の上枠パイプ材（１）と、を備え、
第１横架杆（11）と、１本の中実細杆を折返部（12ｂ）で折返して該折返部（12ｂ）が後側として配設され前後中間部で上記第１横架杆（11）にスポット溶接で固着されかつ前側に配設される両端部（12ａ)(12ａ）が上向きに折曲げられた第１受け杆材（12）と、を具備する上カゴ受け枠体（10）を備え、該第１横架杆（11）の両端部（11ａ)(11ａ）が一対の上記柱パイプ材（３)(３）の上部に固着され、かつ、該第１受け杆材（12）の両端部（12ａ)(12ａ）が上記上枠パイプ材（１）の前部（13）に固着されると共に該折返部（12ｂ）が上記握り部（４）の下方近傍に配設され、
かつ、第２横架杆（21）と、１本の中実細杆を折返部（22ｂ）で折返して成りかつ両端部（22ａ)(22ａ）が上向きに折曲げられ該第２横架杆（21）にスポット溶接で固着された第２受け杆材（22）と、を具備する下カゴ受け枠体（20）を備え、該第２横架杆（21）の両端部（21ａ)(21ａ）が上記柱パイプ材（３)(３）の下方部（31)(31）に固着され、かつ、上記第２受け杆材（22）は、該折返部（22ｂ）近傍が上記下枠パイプ材（２）の前部（23）に支持されて、固着されたことを特徴とするショッピングカート。
【請求項４】
載置される買物カゴの前壁と左右側壁に対応する略水平状乃至前方下傾状の上枠パイプ材（１）を備え、かつ、該上枠パイプ材（１）の後部（14）に握り部（４）が設けられ、さらに、該握り部（４）の下方近傍位置に、宣伝・広告用の表示プレート板（５）を配設したことを特徴とするショッピングカート。
【請求項５】
後部（14）に握り部（４）が設けられると共に載置される買物カゴの前壁と左右側壁に対応する略水平状乃至前方下傾状の上枠パイプ材（１）と、１本の中実細杆を折返部（12ｂ）で折返して成りかつ両端部（12ａ)(12ａ）が上向きに折曲げられて上記上枠パイプ材（１）の前部（13）に固着されかつ該折返部（12ｂ）が上記握り部（４）の下方近傍に位置するように略水平状に配設されたカゴ受け杆材（12）と、を備え、
該受け杆材（12）の後部（15）を、該折返部（12ｂ）が上向きになるように、折曲げてカゴ位置ずれ防止部（42）を形成し、さらに、該折返部（12ｂ）の上端に、宣伝・広告用の表示プレート板（５）が取付けられたことを特徴とするショッピングカート。
【請求項６】
後部（14）に握り部（４）が設けられると共に載置される買物カゴの前壁と左右側壁に対応する略水平状乃至前方下傾状の上枠パイプ材（１）と、１本の中実細杆を折返部（12ｂ）で折返して成りかつ両端部（12ａ)(12ａ）が上向きに折曲げられて上記上枠パイプ材（１）の前部（13）に固着されかつ該折返部（12ｂ）が上記握り部（４）の下方近傍に位置するように略水平状に配設されたカゴ受け杆材（12）と、を備え、
該受け杆材（12）の後部（15）を、該折返部（12ｂ）が上向きになるように、折曲げてハンドバッグ紐用掛止部（43）を形成し、さらに、該折返部（12ｂ）の上端に、宣伝・広告用の表示プレート板（５）が取付けられたことを特徴とするショッピングカート。
【請求項７】
後部（14）に握り部（４）が設けられると共に載置される買物カゴの前壁と左右側壁に対応する略水平状乃至前方下傾状の上枠パイプ材（１）と、１本の中実細杆を折返部（12ｂ）で折返して成りかつ両端部（12ａ)(12ａ）が上向きに折曲げられて上記上枠パイプ材（１）の前部（13）に固着されかつ該折返部（12ｂ）が上記握り部（４）の下方近傍に位置するように略水平状に配設されたカゴ受け杆材（12）と、を備え、
該受け杆材（12）の後部（15）を、該折返部（12ｂ）が上向きになるように、折曲げてカゴ位置ずれ防止部（42）兼ハンドバッグ紐用掛止部（43）を形成し、さらに、該折返部（12ｂ）の上端に、宣伝・広告用の表示プレート板（５）が取付けられたことを特徴とするショッピングカート。
【請求項８】
後部（14）に握り部（４）が設けられると共に載置される買物カゴの前壁と左右側壁に対応する略水平状乃至前方下傾状の上枠パイプ材（１）と、１本の中実細杆を折返部（12ｂ）で折返して成りかつ両端部（12ａ)(12ａ）が上向きに折曲げられて上記上枠パイプ材（１）の前部（13）に固着されかつ該折返部（12ｂ）が上記握り部（４）の下方近傍に位置するように略水平状に配設されたカゴ受け杆材（12）と、を備え、
上記上枠パイプ材（１）が前方下傾状に配設され、かつ、上記カゴ受け杆材（12）が後方下傾状に配設されたことを特徴とするショッピングカート。
【請求項９】
載置される買物カゴの前壁と左右側壁に対応する略水平状乃至前方下傾状の上枠パイプ材（１）を備え、該上枠パイプ材（１）は、後部（14）において、一箇所の切れ目（９）を挟んで両端部（19)(19）が左右方向一直線状に内向きとなるように形成され、かつ、該両端部（19)(19）に、握り用グリップ部（40)(40）が設けられたことを特徴とするショッピングカート。
【請求項１０】
上枠パイプ材（１）は、平面視略矩形状で、かつ、切れ目の無い閉ループ状とした請求項１，２，３，４，５，６，７，８記載のショッピングカート。
【請求項１１】
上記第２横架杆（21）に、傘先が差込まれる傘先保持リング部（６）が付設された請求項３記載のショッピングカート。
【考案の詳細な説明】
【技術分野】
【０００１】
本考案は、ショッピングカートに関するものである。
【背景技術】
【０００２】
従来のショッピングカートは、後輪が下端に設けられた左右一対の柱パイプ材の上端同士が、握り部付の横方向のパイプ部で連結され、かつ、柱パイプ材の上部と下部に、買物カゴを載置収納するための受け部材が前方へ突設され、下側の受け部材の前部に前輪が取付けられ、さらに、受け部材の前面に店の名前等の宣伝・広告用のプレートが付設されたものが知られている。
【考案の開示】
【考案が解決しようとする課題】
【０００３】
この従来のショッピングカートは、買物客が握り部を把持して歩行する際等に、柱パイプ材（特に中間部から上部にかけての部位）が身体の前方において邪魔になり、歩行やカートの後方からの買物カゴへの商品等の出し入れにも、邪魔になる虞れがある。また、客はカートを後方から押して歩くため、前面に付された宣伝・広告用のプレートを見ることができず、効果が低い。また、受け部材は、後部で柱パイプ材に固着されているので、受け部材に買物カゴを載置すると柱パイプ材に掛かるモーメントが大きくなるため、耐久性が低い。
そこで、本考案は、買物客が使用し易く、かつ、載置される買物カゴの重量に対して耐久性に優れるショッピングカートを提供することを目的とする。
【課題を解決するための手段】
【０００４】
上記の目的を達成するために、本考案に係るショッピングカートは、載置される買物カゴの前壁と左右側壁に対応する略水平状乃至前方下傾状の上枠パイプ材を備え、かつ、該上枠パイプ材の後部に握り部が設けられた。
【０００５】
また、本考案に係るショッピングカートは、下端に後輪が付設された左右一対の柱パイプ材と、１本のパイプ材が略コの字状に折曲げられて成り両端部が後側になるようにして上記柱パイプ材の下方部に固着されて略水平状乃至前方下傾状に保持されると共に前部に前輪が付設された下枠パイプ材と、前後中間位置で上記柱パイプ材の上端に固着され後部に握り部が設けられかつ載置される買物カゴの前壁と左右側壁に対応する略水平状乃至前方下傾状の上枠パイプ材と、を備えたものである。
【０００６】
また、本考案に係るショッピングカートは、下端に後輪が付設された左右一対の柱パイプ材と、１本のパイプ材が略コの字状に折曲げられて成り両端部が後側になるようにして上記柱パイプ材の下方部に固着されて略水平状乃至前方下傾状に保持されると共に前部に前輪が付設された下枠パイプ材と、前後中間位置で上記柱パイプ材の上端に固着され後部に握り部が設けられかつ載置される買物カゴの前壁と左右側壁に対応する略水平状乃至前方下傾状の上枠パイプ材と、を備え、第１横架杆と、１本の中実細杆を折返部で折返して該折返部が後側として配設され前後中間部で上記第１横架杆にスポット溶接で固着されかつ前側に配設される両端部が上向きに折曲げられた第１受け杆材と、を具備する上カゴ受け枠体を備え、該第１横架杆の両端部が一対の上記柱パイプ材の上部に固着され、かつ、該第１受け杆材の両端部が上記上枠パイプ材の前部に固着されると共に該折返部が上記握り部の下方近傍に配設され、かつ、第２横架杆と、１本の中実細杆を折返部で折返して成りかつ両端部が上向きに折曲げられ該第２横架杆にスポット溶接で固着された第２受け杆材と、を具備する下カゴ受け枠体を備え、該第２横架杆の両端部が上記柱パイプ材の下方部に固着され、かつ、上記第２受け杆材は、該折返部近傍が上記下枠パイプ材の前部に支持されて、固着されたものである。
【０００７】
また、本考案に係るショッピングカートは、載置される買物カゴの前壁と左右側壁に対応する略水平状乃至前方下傾状の上枠パイプ材を備え、かつ、該上枠パイプ材の後部に握り部が設けられ、さらに、該握り部の下方近傍位置に、宣伝・広告用の表示プレート板を配設したものである。
【０００８】
また、本考案に係るショッピングカートは、後部に握り部が設けられると共に載置される買物カゴの前壁と左右側壁に対応する略水平状乃至前方下傾状の上枠パイプ材と、１本の中実細杆を折返部で折返して成りかつ両端部が上向きに折曲げられて上記上枠パイプ材の前部に固着されかつ該折返部が上記握り部の下方近傍に位置するように略水平状に配設されたカゴ受け杆材と、を備え、該受け杆材の後部を、該折返部が上向きになるように、折曲げてカゴ位置ずれ防止部を形成し、さらに、該折返部の上端に、宣伝・広告用の表示プレート板が取付けられたものである。
【０００９】
また、本考案に係るショッピングカートは、後部に握り部が設けられると共に載置される買物カゴの前壁と左右側壁に対応する略水平状乃至前方下傾状の上枠パイプ材と、１本の中実細杆を折返部で折返して成りかつ両端部が上向きに折曲げられて上記上枠パイプ材の前部に固着されかつ該折返部が上記握り部の下方近傍に位置するように略水平状に配設されたカゴ受け杆材と、を備え、該受け杆材の後部を、該折返部が上向きになるように、折曲げてハンドバッグ紐用掛止部を形成し、さらに、該折返部の上端に、宣伝・広告用の表示プレート板が取付けられたものである。
【００１０】
また、本考案に係るショッピングカートは、後部に握り部が設けられると共に載置される買物カゴの前壁と左右側壁に対応する略水平状乃至前方下傾状の上枠パイプ材と、１本の中実細杆を折返部で折返して成りかつ両端部が上向きに折曲げられて上記上枠パイプ材の前部に固着されかつ該折返部が上記握り部の下方近傍に位置するように略水平状に配設されたカゴ受け杆材と、を備え、該受け杆材の後部を、該折返部が上向きになるように、折曲げてカゴ位置ずれ防止部兼ハンドバッグ紐用掛止部を形成し、さらに、該折返部の上端に、宣伝・広告用の表示プレート板が取付けられたものである。
【００１１】
また、本考案に係るショッピングカートは、後部に握り部が設けられると共に載置される買物カゴの前壁と左右側壁に対応する略水平状乃至前方下傾状の上枠パイプ材と、１本の中実細杆を折返部で折返して成りかつ両端部が上向きに折曲げられて上記上枠パイプ材の前部に固着されかつ該折返部が上記握り部の下方近傍に位置するように略水平状に配設されたカゴ受け杆材と、を備え、上記上枠パイプ材が前方下傾状に配設され、かつ、上記カゴ受け杆材が後方下傾状に配設されたものである。
【００１２】
また、本考案に係るショッピングカートは、載置される買物カゴの前壁と左右側壁に対応する略水平状乃至前方下傾状の上枠パイプ材を備え、該上枠パイプ材は、後部において、一箇所の切れ目を挟んで両端部が左右方向一直線状に内向きとなるように形成され、かつ、該両端部に、握り用グリップ部が設けられたものである。
【００１３】
また、上枠パイプ材は、平面視略矩形状で、かつ、切れ目の無い閉ループ状とした。    また、上記第２横架杆に、傘先が差込まれる傘先保持リング部が付設されている。
【考案の効果】
【００１４】
本考案は、次のような著大な効果を奏する。
本考案に係るショッピングカートは、下端に後輪が付設された左右一対の柱パイプ材の上端に、上枠パイプ材が、略水平状乃至前方下傾状に固着され、載置される買物カゴの前壁と左右側壁に対応しているので、買物カゴが前後左右へずれても落下しないように確実に保持出来る。また、上枠パイプ材が、その前後中間位置にて柱パイプ材の上端に固着されているので、買物カゴが載置される受け部材が柱パイプ材に前方へ突設されたカートに比べ、柱部材に掛かるモーメントが低く、耐久性に優れる。また、上枠パイプ材の後部に握り部を設けたので、シンプルな構成となり、部品点数が抑えられ、大量生産可能である。しかも、柱パイプ材の上部に握り部が設けられたカートに比べて、買物客にとって、柱パイプ材（の上方部）が邪魔にならず、買物をスムーズに行うことができる。
また、上カゴ受け枠体・下カゴ受け枠体を上枠パイプ材・下枠パイプ材毎に設けて、下方から受けるので、落下等を防いで確実に保持できる。しかも、上カゴ受け枠体・下カゴ受け枠体を予めスポット溶接によって形成しておいて、その後、上・下枠パイプ材と柱パイプ材に取付けるので、大量生産が容易である。
【００１５】
また、上カゴ受け枠体の受け杆材の後部の折返部が、上向きに折曲げられてカゴ位置ずれ防止部兼ハンドバッグ紐用掛止部を成すので、シンプルな構成でありながら、買物をスムーズにするために便利である。しかも、折返部の上端に、宣伝・広告用の表示プレート板が取付けられて、握り部の下方近傍に配設されるので、買物客がカートを手押ししながら買物する間中、常時表示プレート板を目にし易いので、宣伝・広告機能が大きい。
【００１６】
また、下方後部に配設された第２横架杆に、傘先が差込まれる傘先保持リング部が付設されているので、傘の先端部を、傘先保持リング部に差込み、かつ、傘の上部を、上カゴ受け枠体に載置された買物カゴと上枠パイプ材の一方のグリップ部との間に保持することで、傘を買物の邪魔にならないように保持できる。
【考案を実施するための最良の形態】
【００１７】
以下、実施の形態を示す図面に基づき、本考案を詳説する。
図１〜図５は本考案に係るショッピングカートの実施の一形態を示し、このショッピングカートは、下端30，30に後輪34，34が付設された左右一対の柱パイプ材３，３と、柱パイプ材３，３の下方部31，31に固着されて載置される買物カゴの前壁と左右側壁に対応する略水平状乃至前方下傾状に保持された下枠パイプ材２と、前後中間位置で柱パイプ材３，３の上端32，32に固着され後部14に握り部４が設けられかつ載置される買物カゴの前壁と左右側壁に対応する略水平状乃至前方下傾状の上枠パイプ材１と、を備えている。
【００１８】
各部材について以下説明する。
先ず、各柱パイプ材３は上端32・下端30間において２箇所の折曲部35，36で緩やかに折曲がり、上方前傾状の中間部33と、中間部33よりも小さな傾斜角度で上方前傾状となる上部及び下方部31とを、連続状に形成したものである。
【００１９】
次に、上枠パイプ材１は、１本のパイプ材16を略矩形状に折曲げ切れ目９をもって両端部19，19が離間して相互に内向きとなるように形成したものである。上枠パイプ材１は、両端部19，19が後側に配設されて左右方向内向きとなり、かつ、左右一対の側パイプ部16ａ，16ａの前後中間位置で、柱パイプ材３，３の上端32，32に固着され、略水平状乃至前方下傾状に保持される。上枠パイプ材１の前部13（前パイプ部）と側パイプ部16ａ，16ａは、載置される買物カゴの前壁と左右側壁に夫々対応する。そして、両端部19，19に、ゴム製等の筒状の握り用グリップ部40，40が外嵌されている。
【００２０】
次に、下枠パイプ材２は、１本のパイプ材26が略コの字状に折曲げられて成り、両端部25，25が後側になるようにして柱パイプ材３，３の下方部31，31（下側折曲部36近傍）に固着され、略水平状乃至前方下傾状に保持されている。そして、下枠パイプ材２の前角部の内側には左右一対の前輪24，24が固着されている。
本考案のショッピングカートに於ては、下枠パイプ材２及び上枠パイプ材１は水平面から略20°で前方下傾状に保持されている。
【００２１】
さらに、本考案のショッピングカートは、上枠パイプ材１・下枠パイプ材２の下方近傍に設けられ買物カゴを受ける上カゴ受け枠体10・下カゴ受け枠体20を備える。
先ず、上カゴ受け枠体10は、中実細杆から成る第１横架杆11と、１本の中実細杆を折返部12ｂで折返して両端部12ａ，12ａが接近状となる第１受け杆材12と、を有し、第１受け杆材12は、折返部12ｂ・両端部12ａ，12ａの（前後）中間部で、第１横架杆11にクロスして上から当接した状態でスポット溶接されて（スポット溶接部７，７にて）予め一体化されている（図５参照）。第１横架杆11の両端部11ａ，11ａは下方後傾状に折り曲げられている。また、図６に示したように、第１受け杆材12の両端部12ａ，12ａ近傍部は、折曲部17，17をもって上向きに折曲げられ、かつ、折返部12ｂ近傍部は、折曲部18をもって上向きに折曲げられている。折返部12ｂは、上端が左右方向水平状になるように形成されている。
上記のようにスポット溶接にて予め一体化された上カゴ受け枠体10が、上枠パイプ材１と柱パイプ材３，３に取付けられ、略水平状に保持される。具体的には、第１横架杆11の両端部11ａ，11ａを左右柱パイプ材３，３の上側折曲部35，35近傍に固着し、かつ、第１受け杆材12の両端部12ａ，12ａを上枠パイプ材１の前部13の横パイプ部に下方から固着する（図５参照）。本実施では、上カゴ受け枠体10は僅かに後方下傾状に配設される。
また、38は、中実細杆から矩形状に形成した取付枠部材であり、５は宣伝・広告用の矩形状表示プレート板である。取付枠部材38の一辺が、上記第１受け杆材12の折返部12ｂの上端に固着され、略水平状に後方へ突設する。かつ、表示プレート板５が、取付枠部材38上に固着される。このように取り付けることで、表示プレート板５は、上枠パイプ材１の握り部４の下方近傍に配設される。
【００２２】
次に、下カゴ受け枠体20は、中実細杆から成る第２横架杆21と、１本の中実細杆を折返部22ｂで折返して両端部22ａ，22ａが接近状となる第２受け杆材22と、を有する。第２横架杆21の両端部21ａ，21ａは上方前傾状に折り曲げられている。また、第２受け杆材22両端部22ａ，22ａ近傍部は、折曲部28，28をもって上向きに折曲げられ、かつ、折返部22ｂ近傍部は、折曲部27をもって上向きに折曲げられている。そして、第２受け杆材22の両端部22ａ，22ａが、第２横架杆21にスポット溶接されて（スポット溶接部８，８にて）予め一体化されている（図５参照）。また、第２横架杆21は、（後述する）傘先が差込まれる傘先保持リング部６が、後方へ略水平状として突設されている。また、下カゴ受け枠体20において、第２受け杆材22の左右杆部が、前寄りの位置にて、左右方向の補強横杆29で連結されている。
上記のようにスポット溶接にて予め一体化された下カゴ受け枠体20が、下枠パイプ材２と柱パイプ材３，３に取付けられ、略水平状に保持される。具体的には、第２横架杆21の両端部21ａ，21ａを左右柱パイプ材３，３の下側折曲部36，36近傍に固着し、かつ、第２受け杆材22の前側の（折返部22ｂ側の）折曲部27近傍部が、下枠パイプ材２の前部23（前パイプ部）上に当接状に固着される。本実施では、下カゴ受け枠体20は僅かに前方下傾状に配設される。  
なお、上・下枠パイプ材１，２、柱パイプ材３は全て丸パイプから形成されているが、所望により角パイプから形成してもよい。
【００２３】
次に、本考案のショッピングカートの使用について説明する。
図１，図３，図４に於て、上カゴ受け枠体10の第１受け杆材12の後側折曲部18がカゴ位置ずれ防止部42となり、載置された買物カゴは、カート移動中等に仮に後方にスライドしても防止部42に掛止して落下が防がれる。また、買物カゴは、その前壁及び左右側壁が上枠パイプ材１に包囲され、前方や左右側方への落下も防がれる。
また、上カゴ受け枠体10の前部と後寄り部とが、柱パイプ材３，３と上枠パイプ材１の前部13とに固着されているので、柱パイプ材にカゴ受け部材を前方へ突設した上述の従来のカートに比べて、柱パイプ材に掛かるモーメントが小さく、耐久性に優れる。
【００２４】
また、上カゴ受け枠体10の後側折曲部18が、ハンドバッグ等の把持紐用掛止部43とを兼ねており、買物客はハンドバッグやショルダーバッグ等の把持紐を、折曲部18を掛止部43として引っ掛けておくことができる。第１受け杆材12は僅かに後方下傾状に配設されているので、ハンドバッグの紐は、掛止部43に確実に掛止する。
そして、表示プレート板５が握り部４の下方近傍に位置して見易い位置にあるため、買物客は、カートを後方から手押ししながら買物する間中、表示プレート板５を目にし易く、宣伝・広告機能が大きい。
【００２５】
また、下カゴ受け枠体20の第２受け杆材22に載置された買物カゴは、第２受け杆材22の前後折曲部27，28によって前後動を規制されると共に、下枠パイプ材２によって左右側方から包囲されており、カート移動中等に前後左右へずれても、そのずれが規制され、落下等が防がれる。
【００２６】
また、図３，図４に示したように、傘を収納できる。即ち、傘の先端部を、第２横架杆21に付設された傘先保持リング部６に差込み、かつ、傘の上部を、上カゴ受け枠体10に載置された買物カゴと上枠パイプ材１の一方のグリップ部40との間に通しておくことで、傘を買物の邪魔にならないように保持できる。
【００２７】
また、本実施例では、上枠パイプ材１の後部14に設けられたグリップ部40，40が相互に内向き一直線状に配設されているが、設計変更して、相互に左右方向外向きとなるように折曲げてもよい。そのときには、両グリップ部40，40間に、子供用シート（座席）を設けることができる（図示省略）。
なお、本考案のショッピングカートは設計変更自由であり、上枠パイプ材１を、平面視略矩形状で、かつ、切れ目の無い閉ループ状としてもよい。そして、この上枠パイプ材１
の後部（後側横杆部）に、握り用グリップ部が設けられる（図示省略）。
【００２８】
以上のように、本考案に係るショッピングカートは、載置される買物カゴの前壁と左右側壁に対応する略水平状乃至前方下傾状の上枠パイプ材１を備え、かつ、上枠パイプ材１の後部14に握り部４が設けられているので、買物カゴが前後左右へずれても落下しないように確実に保持出来る。また、上枠パイプ材１の後部14に握り部４を設けているので、構造がシンプルになり、大量生産を容易に行うことができる。
【００２９】
また、本考案に係るショッピングカートは、下端30，30に後輪34，34が付設された左右一対の柱パイプ材３，３と、１本のパイプ材26が略コの字状に折曲げられて成り両端部25，25が後側になるようにして柱パイプ材３，３の下方部31，31に固着されて略水平状乃至前方下傾状に保持されると共に前部23に前輪24，24が付設された下枠パイプ材２と、前後中間位置で柱パイプ材３，３の上端32，32に固着され後部14に握り部４が設けられかつ載置される買物カゴの前壁と左右側壁に対応する略水平状乃至前方下傾状の上枠パイプ材１と、を備えているので、上・下枠パイプ材１，２によって、買物カゴが前後左右へずれても落下しないように確実に保持出来る。また、上枠パイプ材１に握り部４が設けられているので、構造がシンプルとなり、部品点数が抑えられ、大量生産を容易に行うことができる。しかも、後方に立つ買物客にとって、柱パイプ材３，３（の上方部）が邪魔にならない。また、買物カゴが載置される受け部材が柱パイプ材に前方へ突設されたカートに比べ、本考案のカートは、柱パイプ材３，３が上枠パイプ材１から受けるモーメントが小さく、耐久性に優れる。
【００３０】
また、本考案に係るショッピングカートは、下端30，30に後輪34，34が付設された左右一対の柱パイプ材３，３と、１本のパイプ材26が略コの字状に折曲げられて成り両端部25，25が後側になるようにして柱パイプ材３，３の下方部31，31に固着されて略水平状乃至前方下傾状に保持されると共に前部23に前輪24，24が付設された下枠パイプ材２と、前後中間位置で柱パイプ材３，３の上端32，32に固着され後部14に握り部４が設けられかつ載置される買物カゴの前壁と左右側壁に対応する略水平状乃至前方下傾状の上枠パイプ材１と、を備え、第１横架杆11と、１本の中実細杆を折返部12ｂで折返して折返部12ｂが後側として配設され前後中間部で第１横架杆11にスポット溶接で固着されかつ前側に配設される両端部12ａ，12ａが上向きに折曲げられた第１受け杆材12と、を具備する上カゴ受け枠体10を備え、第１横架杆11の両端部11ａ，11ａが一対の柱パイプ材３，３の上部に固着され、かつ、第１受け杆材12の両端部12ａ，12ａが上枠パイプ材１の前部13に固着されると共に折返部12ｂが握り部４の下方近傍に配設され、かつ、第２横架杆21と、１本の中実細杆を折返部22ｂで折返して成りかつ両端部22ａ，22ａが上向きに折曲げられ第２横架杆21にスポット溶接で固着された第２受け杆材22と、を具備する下カゴ受け枠体20を備え、第２横架杆21の両端部21ａ，21ａが柱パイプ材３，３の下方部31，31に固着され、かつ、第２受け杆材22は、折返部22ｂ近傍が下枠パイプ材２の前部23に支持されて、固着されているので、上・下枠パイプ材１，２によって、買物カゴの前後左右への移動を確実に制限出来る。また、上枠パイプ材１に握り部４が設けられているので、上・下枠パイプ材１，２によって、買物カゴが前後左右へずれても落下しないように確実に保持出来る。また、上枠パイプ材１に握り部４が設けられているので、構造がシンプルとなり、部品点数が抑えられ、大量生産を容易に行うことができる。しかも、後方に立つ買物客にとって、柱パイプ材３，３（の上方部）が邪魔にならない。また、買物カゴが載置される受け部材が柱パイプ材に前方へ突設されたカートに比べ、本考案のカートは、柱パイプ材３，３が上枠パイプ材１から受けるモーメントが小さく、耐久性に優れる。
また、上カゴ受け枠体10・下カゴ受け枠体20が、夫々の前部・後部において、上枠パイプ材１・下枠パイプ材２に取付けられるので、買物カゴを載置した場合に掛かる荷重が柱パイプ材の一部に集中することがなく、耐久性に優れる。また、上カゴ受け枠体10・下カゴ受け枠体20を夫々予めスポット溶接によって形成した後で、上・下枠パイプ材１，２と柱パイプ材３，３に取付けることで、生産が容易になり、大量生産が可能である。
【００３１】
また、本考案に係るショッピングカートは、載置される買物カゴの前壁と左右側壁に対応する略水平状乃至前方下傾状の上枠パイプ材１を備え、かつ、上枠パイプ材１の後部14に握り部４が設けられ、さらに、握り部４の下方近傍位置に、宣伝・広告用の表示プレート板５を配設したので、買物客は、カートを手押ししながら買物する間中、表示プレート板５を目にし易く、宣伝・広告機能が大きい。
【００３２】
また、本考案に係るショッピングカートは、後部14に握り部４が設けられると共に載置される買物カゴの前壁と左右側壁に対応する略水平状乃至前方下傾状の上枠パイプ材１と、１本の中実細杆を折返部12ｂで折返して成りかつ両端部12ａ，12ａが上向きに折曲げられて上枠パイプ材１の前部13に固着されかつ折返部12ｂが握り部４の下方近傍に位置するように略水平状に配設されたカゴ受け杆材12と、を備え、受け杆材12の後部15を、折返部12ｂが上向きになるように、折曲げてカゴ位置ずれ防止部42を形成し、さらに、折返部12ｂの上端に、宣伝・広告用の表示プレート板５が取付けられているので、買物客は、カートを手押ししながら買物する間中、表示プレート板５を目にし易く、宣伝・広告機能が大きい。しかも、シンプルな構成でありながら、カゴ位置ずれ防止部42によって、買物カゴの後方へのスライドを確実に制限でき、落下を防ぐことができる。
【００３３】
また、本考案に係るショッピングカートは、後部14に握り部４が設けられると共に載置される買物カゴの前壁と左右側壁に対応する略水平状乃至前方下傾状の上枠パイプ材１と、１本の中実細杆を折返部12ｂで折返して成りかつ両端部12ａ，12ａが上向きに折曲げられて上枠パイプ材１の前部13に固着されかつ折返部12ｂが握り部４の下方近傍に位置するように略水平状に配設されたカゴ受け杆材12と、を備え、受け杆材12の後部15を、折返部12ｂが上向きになるように、折曲げてハンドバッグ紐用掛止部43を形成し、さらに、折返部12ｂの上端に、宣伝・広告用の表示プレート板５が取付けられているので、買物客は、カートを手押ししながら買物する間中、表示プレート板５を目にし易く、宣伝・広告機能が大きい。しかも、シンプルな構成でありながら、掛止部43にハンドバッグ等を引っ掛けて保持できるので、買物をスムーズに行い得る。
【００３４】
また、本考案に係るショッピングカートは、後部14に握り部４が設けられると共に載置される買物カゴの前壁と左右側壁に対応する略水平状乃至前方下傾状の上枠パイプ材１と、１本の中実細杆を折返部12ｂで折返して成りかつ両端部12ａ，12ａが上向きに折曲げられて上枠パイプ材１の前部13に固着されかつ折返部12ｂが握り部４の下方近傍に位置するように略水平状に配設されたカゴ受け杆材12と、を備え、受け杆材12の後部15を、折返部12ｂが上向きになるように、折曲げてカゴ位置ずれ防止部42兼ハンドバッグ紐用掛止部43を形成し、さらに、折返部12ｂの上端に、宣伝・広告用の表示プレート板５が取付けられているので、買物客は、カートを手押ししながら買物する間中、表示プレート板５を目にし易く、宣伝・広告機能が大きい。しかも、シンプルな構成でありながら、カゴ位置ずれ防止部42によって、買物カゴの後方へのスライドを確実に制限でき、落下を防ぐことができる。また、受け杆材12の後部15を上向きに折曲げた折曲部が、買物カゴの後方へのスライドを制限するカゴ位置ずれ防止部42と、ハンドバッグの紐を引っ掛け保持する掛止部43とを兼用するので、シンプルな構成でありながら複数の用途で使用でき、買物をスムーズに行い得る。
【００３５】
また、本考案に係るショッピングカートは、後部14に握り部４が設けられると共に載置される買物カゴの前壁と左右側壁に対応する略水平状乃至前方下傾状の上枠パイプ材１と、１本の中実細杆を折返部12ｂで折返して成りかつ両端部12ａ，12ａが上向きに折曲げられて上枠パイプ材１の前部13に固着されかつ折返部12ｂが握り部４の下方近傍に位置するように略水平状に配設されたカゴ受け杆材12と、を備え、上枠パイプ材１が前方下傾状に配設され、かつ、カゴ受け杆材12が後方下傾状に配設されているので、上枠パイプ材１によって、買物カゴが前後左右へずれても、確実に保持出来る。また、上枠パイプ材１に握り部４が設けられているので、シンプルな構成となり、部品点数が抑えられ、容易に生産を行うことができる。しかも、柱パイプ材の上部に握り部が設けられたカートに比べて、後方に立つ買物客にとって、柱パイプ材３，３（の上方部）が邪魔にならない。また、買物カゴが載置される受け部材が柱パイプ材に前方へ突設されたカートに比べ、本考案のカートは、柱パイプ材３，３が上枠パイプ材１から受けるモーメントが小さく、耐久性に優れる。
また、カゴ受け杆材12を上枠パイプ材１に設けて、買物カゴを受けるので、落下等を防いで確実に保持できる。そして、カゴ受け杆材12が後方下傾状に配設され、かつ、上枠パイプ材１が前方下傾状に配設されるので、買物カゴのずれを一層確実に防ぎ得る。
【００３６】
また、本考案に係るショッピングカートは、載置される買物カゴの前壁と左右側壁に対応する略水平状乃至前方下傾状の上枠パイプ材を備え、上枠パイプ材１は、後部14において、一箇所の切れ目９を挟んで両端部19，19が左右方向一直線状に内向きとなるように形成され、かつ、両端部19，19に、握り用グリップ部40，40が設けられているので、買物カゴが前後左右へずれても落下しないように確実に保持出来る。また、上枠パイプ材１の後部14にグリップ部40，40を設けているので、全体的にシンプルな構造になり、生産が容易である。しかも、グリップ部40，40が内向き状なので、把持し易い。
【００３７】
また、上枠パイプ材１は、平面視略矩形状で、かつ、切れ目の無い閉ループ状なので、買物カゴが左右前後へずれても落下しないように確実に保持出来る。また、上枠パイプ材１が閉ループ状なので非常にシンプルな構成となり、強度的にも堅牢となる。また、閉ループ状の上枠パイプ材１に握り用グリップ部が設けられれば、握り易く、買い物をスムーズに行えるようになる。
【００３８】
また、第２横架杆21に、傘先が差込まれる傘先保持リング部６が付設されているので、傘の先端部を、傘先保持リング部６に差込み、かつ、傘の上部を、上カゴ受け枠体10に載置された買物カゴと上枠パイプ材１の一方のグリップ部40との間に保持することで、傘を買物の邪魔にならないように保持できる。
【図面の簡単な説明】
【００３９】
【図１】本考案に係るショッピングカートの実施の一形態を示す斜視図である。
【図２】側面図である。
【図３】説明用要部斜視図である。
【図４】側面断面図である。
【図５】説明用斜視図である。
【図６】要部説明用の分解斜視図である。
【符号の説明】
【００４０】
１  上枠パイプ材
２  下枠パイプ材
３  柱パイプ材
４  握り部
５  表示プレート板
６  傘先保持リング部
10  上カゴ受け枠体
11  第１横架杆
11ａ  端部
12    受け杆材
12ａ  端部
12ｂ  折返部
13  前部
14  後部
15  後部
19  端部
20  下カゴ受け枠体
21  第２横架杆
21ａ  端部
22  第２受け杆材
22ａ  端部
22ｂ  折返部
23  前部
24  前輪
25  端部
26  パイプ材
30  下端
31  下方部
32  上端
34  後輪
40  グリップ部
42  カゴ位置ずれ防止部
43  掛止部
【図１】
0003123732.tif 000003
【図２】
0003123732.tif 000004
【図３】
0003123732.tif 000005
【図４】
0003123732.tif 000006
【図５】
0003123732.tif 000007
【図６】
0003123732.tif 000008